(57)【要約】【課題】吐水部の少なくとも一部を隠蔽しつつ、吐水部の前方にセンサを設けたプルアウト機能を有する水栓装置において、センサに不具合が生じることを抑制できる水栓装置を提供する。【解決手段】水を吐出する吐水口を有し、前方に向けて引き出し可能な吐水部と、  被検知体を検知するセンサと、前記センサを保持する保持部と、前記吐水部が収納される収納部と、を有し、収納された前記吐水部の少なくとも上部を覆うケーシングと、を備えた水栓装置において、前記吐水部が前記収納部に収納された状態において、前記吐水部の前方は前記保持部により覆われ、前記吐水部は前記保持部と前後方向において離間する。【選択図】図１
2019148090.tif 000002
【特許請求の範囲】
【請求項１】
水を吐出する吐水口を有し、前方に向けて引き出し可能な吐水部と、
被検知体を検知するセンサと、
前記センサを保持する保持部と、前記吐水部が収納される収納部と、を有し、収納された前記吐水部の少なくとも上部を覆うケーシングと、
を備え、
前記吐水部が前記収納部に収納された状態において、前記吐水部の前方は前記保持部により覆われ、前記吐水部は前記保持部と前後方向において離間する、水栓装置。
【請求項２】
前記吐水部が前記収納部に収納された状態において、前記吐水部は、前記ケーシングの前記保持部以外の部分とさらに離間する請求項１記載の水栓装置。
【請求項３】
前記保持部は、収納された前記吐水部と対向する対向面を有し、
前記対向面は、前方且つ下方に向けて傾斜した請求項１または２に記載の水栓装置。
【請求項４】
前記吐水部と前記保持部との間の間隙は、前記吐水部の前記上部と前記ケーシングとの間の上下方向における間隙よりも大きい請求項１〜３のいずれか１つに記載の水栓装置。
【発明の詳細な説明】
【技術分野】
【０００１】
本発明の態様は、一般的に、水栓装置に関する。
【背景技術】
【０００２】
従来、差し出された使用者の手をセンサで検知し、自動で吐止水を制御する水栓装置がある。この水栓装置において、センサは、例えば、使用者から見て吐水口の手前側に配置される。これにより、使用者が手洗い等で手を差し出したとき、吐水口の下に手が来るより先にセンサで手を検知でき、より早く吐水を開始できる。
【０００３】
また、センサを備えた水栓装置において、吐水部が引き出し可能なプルアウト機能を有するものもある。この水栓装置においては、吐水部にセンサが設けられると、プルアウトに伴い、センサに接続された配線等も引き出される必要があり、構造が複雑になる。そこで、特許文献１では、固定されたセンサの保持部に対して、吐水部を分離させて引き出し可能に構成されている。
【先行技術文献】
【特許文献】
【０００４】
【特許文献１】特開２０１７-１１５４７０号公報
【発明の概要】
【発明が解決しようとする課題】
【０００５】
このような水栓装置において、近年、意匠面の観点から、吐水部の少なくとも一部を隠蔽し、吐水部を使用者から見え難くした構成が検討されている。一方で、プルアウト機能を有する吐水部を隠蔽した場合、引き出された吐水部を固定位置に戻す際に、固定位置も見え難くなる。このため、吐水部を戻す際には、使用者が、吐水部を固定位置近くで少しずつ移動させ、固定位置を手探りすることが考えられる。
【０００６】
特許文献１に記載された水栓装置では、センサの保持部に吐水部を接触させて、吐水部を固定している。このため、特許文献１の水栓装置において吐水部を隠蔽した場合、固定位置近くで吐水部が移動されると、吐水部がセンサの保持部と接触する。これにより、センサに衝撃が加わり、センサに不具合が生じる可能性がある。
【０００７】
本発明は、かかる課題の認識に基づいてなされたものであり、吐水部の少なくとも一部を隠蔽しつつ、吐水部の前方にセンサを設けたプルアウト機能を有する水栓装置において、センサに不具合が生じることを抑制できる水栓装置を提供することを目的とする。
【課題を解決するための手段】
【０００８】
第１の発明は、水を吐出する吐水口を有し、前方に向けて引き出し可能な吐水部と、被検知体を検知するセンサと、前記センサを保持する保持部と、前記吐水部が収納される収納部と、を有し、収納された前記吐水部の少なくとも上部を覆うケーシングと、を備え、前記吐水部が前記収納部に収納された状態において、前記吐水部の前方は前記保持部により覆われ、前記吐水部は前記保持部と前後方向において離間する、水栓装置である。
【０００９】
この水栓装置によれば、吐水部の少なくとも上部がケーシングで覆われることにより、美観を向上できる。また、吐水部の前方に保持部が設けられることで、吐水部に向けて差し出された手などを、より早く検知できる。さらに、吐水部が保持部と前後方向に離間することで、吐水部が収納される際に、吐水部が保持部と接触し難くなる。従って、この水栓装置によれば、美観の向上及び検知の敏速化を可能としつつ、吐水部と保持部との接触によりセンサに不具合が生じることを抑制できる。
【００１０】
第２の発明は、第１の発明において、前記吐水部が前記収納部に収納された状態において、前記吐水部は、前記ケーシングの前記保持部以外の部分とさらに離間する水栓装置である。
【００１１】
この水栓装置によれば、ケーシングの保持部以外の部分からセンサに伝わる衝撃を低減し、センサに不具合が生じることをさらに抑制できる。
【００１２】
第３の発明は、第１または第２の発明において、前記保持部は、収納された前記吐水部と対向する対向面を有し、前記対向面は、前方且つ下方に向けて傾斜した水栓装置である。
【００１３】
この水栓装置によれば、対向面で水滴が貯まることを抑制できる。これにより、水滴が、保持部の内部に浸入する可能性を低減でき、センサに不具合が生じることをさらに抑制できる。
【００１４】
第４の発明は、第１〜第３のいずれか１つの発明において、前記吐水部と前記保持部との間の間隙は、前記吐水部の前記上部と前記ケーシングとの間の上下方向における間隙よりも大きい水栓装置である。
【００１５】
この水栓装置によれば、美観や使い勝手の低下を抑制しつつ、ウォーターハンマー等が発生した際に、吐水部と保持部とが接触する可能性を低減できる。
【発明の効果】
【００１６】
本発明の態様によれば、吐水部の少なくとも一部を隠蔽しつつ、吐水部の前方にセンサを設けたプルアウト機能を有する水栓装置において、センサに不具合が生じることを抑制できる水栓装置を提供することができる。
【図面の簡単な説明】
【００１７】
【図１】実施形態に係る水栓装置を設置した洗面化粧台を表す斜視図である。
【図２】実施形態に係る水栓装置を表す斜視図である。
【図３】実施形態に係る水栓装置を表す正面図である。
【図４】実施形態に係る水栓装置を表す断面図である。
【図５】実施形態に係る水栓装置を表す断面図である。
【図６】実施形態に係る水栓装置を表す断面図である。
【発明を実施するための形態】
【００１８】
以下、本発明の実施形態について図面を参照しつつ説明する。なお、各図面中、同様の構成要素には同一の符号を付して詳細な説明は適宜省略する。  
図１は、実施形態に係る水栓装置が設置された洗面化粧台を表す斜視図である。
図１に表した例では、洗面化粧台１００は、水栓装置１０と、洗面器１０２と、支持台１０４と、キャビネット１０６と、を備える。
【００１９】
なお、本願明細書では、水栓装置１０と向き合う使用者からみて手前側を「前方」とし、奥側を「後方」とし、上側を「上方」とし、下側を「下方」とし、右側を「右側方」とし、左側を「左側方」とする。
【００２０】
洗面器１０２は、ボウル部１２２と、バックガード部１２４と、を有する。ボウル部１２２は、下方に向かって窪み、不図示の排水口を有する。排水口は、ボウル部１２２の底部に設けられる。排水口は、排水管に接続され、ボウル部１２２に吐出された水を排水管に流す。洗面器１０２は、支持台１０４の上に設けられ、支持台１０４により支持される。支持台１０４は、例えば、内部に物品を収納可能な引き出しや収納空間を有する。
【００２１】
キャビネット１０６は、洗面器１０２の上方に設けられる。キャビネット１０６は、例えば、鏡面を有する複数の扉と、それらの扉により隠蔽され、物品を収納可能な収納空間と、を有する。
【００２２】
バックガード部１２４は、ボウル部１２２の後端から上方に延びる。水栓装置１０は、ボウル部１２２よりも上方に延びる壁面ＷＳに設けられる。水栓装置１０は、例えば、洗面器１０２のバックガード部１２４に取り付けられ、ボウル部１２２の上方に配置される。これにより、水栓装置１０は、洗面器１０２のボウル部１２２に向けて水を吐出する。本願明細書において、「前方」は、換言すれば、壁面ＷＳの向く方向である。
【００２３】
水栓装置１０は、上記に限ることなく、例えば、洗面器１０２の後部上方に設けられる取付パネル（バックパネル）などに取り付けてもよいし、洗面所などの壁面に直接取り付けてもよい。水栓装置１０は、ボウル部１２２よりも上方に延びる任意の壁面ＷＳに取り付けることができる。また、水栓装置１０の取付位置は、ボウル部１２２内に水を吐出可能であれば、適宜変更可能である。
【００２４】
図２（ａ）及び図２（ｂ）は、実施形態に係る水栓装置を表す斜視図である。
図３は、実施形態に係る水栓装置を表す正面図である。  
図２（ａ）、図２（ｂ）、及び図３に表したように、水栓装置１０は、吐水部２０と、ケーシング３０と、ホース４０と、操作部５０と、センサ６０と、を備える。
【００２５】
吐水部２０は、例えば、支持台１０４の内部空間などにおいて湯水混合部などを介して給水管及び給湯管に接続される。吐水部２０は、ボウル部１２２に向けて、上水（水道水）を吐出する。吐水部２０は、いわゆるスパウトである。吐水部２０には、水を吐出する吐水口２０ａが設けられている。
【００２６】
操作部５０は、吐水部２０における吐水及び止水を切り替える。また、操作部５０は、吐水部２０から吐出される水の流量及び水温を調整する。
【００２７】
操作部５０は、例えば操作レバー５０ａを有する。操作部５０は、使用者による操作レバー５０ａの操作に応じて、吐水部２０から吐出される水の流量及び温度を調整できる。
【００２８】
操作レバー５０ａは、例えば、前後方向及び左右方向に揺動可能に上端部を操作部５０の本体部分に軸支される。例えば、操作レバー５０ａを前後方向に揺動させることにより、吐水部２０から吐出される水の流量が調整され、操作レバー５０ａを左右方向に揺動させることにより、吐水部２０から吐出される水の温度が調整される。
【００２９】
センサ６０は、被検知体を検知する。被検知体は、例えば、吐水部２０に向けて差し出された使用者の手である。センサ６０の検知結果に応じて、吐水部２０における吐水及び止水が自動で切り替えられる。
【００３０】
換言すると、水栓装置１０では、吐水部２０における吐水及び止水を、手動で切り替えることもできるし、自動で切り替えることも可能である。手動で吐水または止水させる状態と、自動で吐水または止水される状態と、は、例えばケーシング３０に設けられたスイッチ３６を操作して切り替えることができる。
【００３１】
ケーシング３０は、壁面ＷＳから前方に突出するように設けられる。吐水部２０及び操作部５０は、ケーシング３０の下部に設けられる。吐水部２０は、ケーシング３０の下方に向けて水を吐出する。操作部５０の操作レバー５０ａは、ケーシング３０から下方に向かって延びる。ケーシング３０は、吐水部２０及び操作部５０の上方を覆う。
【００３２】
吐水部２０、ケーシング３０、及び操作部５０は、例えば、それぞれ個別に壁面ＷＳ（バックガード部１２４の前面）に取り付けられる。ホース４０は、吐水部２０と接続され、吐水部２０に水を供給する。ホース４０は、可撓性を有する。ホース４０は、例えば、吐水部２０が壁面ＷＳに取り付けられた状態においては、バックガード部１２４の裏側の空間に収納される。
【００３３】
図２（ｂ）に表したように、吐水部２０は、壁面ＷＳから前方へ引き出して使用することができる。吐水部２０は、いわゆるプルアウト機能を有する。これにより、吐水部２０をハンドシャワーとして用いることができ、ボウル部１２２の清掃などを行うことができる。
【００３４】
図４（ａ）及び図４（ｂ）は、実施形態に係る水栓装置を表す断面図である。図４（ａ）及び図４（ｂ）は、図３のＡ１−Ａ２線断面を表す。
図５は、実施形態に係る水栓装置を表す断面図である。図５は、図４（ａ）のＢ１−Ｂ２線断面の一部を表す。
なお、図４（ｂ）では、説明の便宜のため、吐水部２０が省略されている。
【００３５】
図４（ａ）及び図４（ｂ）に表したように、ケーシング３０は、収納部３２及び保持部３４を有する。吐水部２０は、収納部３２に収納される。収納部３２は、ケーシング３０の底面の一部が、上方に向けて窪んで形成されている。センサ６０は、保持部３４によって保持される。例えば、センサ６０は、赤外線センサであり、保持部３４の底部には、赤外線を透過させるための窓が設けられる。
【００３６】
水栓装置１０は、吐水部２０を着脱可能に固定する固定部２４を備える。固定部２４は、例えば、収納部３２内に配置され、収納部３２内において壁面ＷＳに取り付けられる。
【００３７】
吐水部２０は、収納部３２に収納された状態で固定部２４に固定され、固定部２４を介して壁面ＷＳに取り付けられる。吐水部２０を固定部２４から取り外して手前側に引き、ホース４０をバックガード部１２４から引き出すことにより、吐水部２０を収納部３２から引き出すことができる。
【００３８】
吐水部２０は、具体的には、基部２１及び屈曲部２２を有する。吐水部２０が収納された状態において、基部２１は、固定部２４と前後方向に並んでいる。基部２１が固定部２４に固定されることで、吐水部２０が固定される。基部２１の前方には、屈曲部２２が連結されている。屈曲部２２は、基部２１に対して、下方に向けて屈曲している。吐水口２０ａは、屈曲部２２の先端に設けられている。このように吐水部２０が屈曲していることで、吐水部２０を引き出す際に、吐水部２０を把持し易くなる。
【００３９】
吐水部２０が収納部３２に収納された状態において、吐水部２０の少なくとも上部は、ケーシング３０により覆われる。図４（ａ）に表した例では、基部２１と、屈曲部２２の上部と、がケーシング３０により覆われている。また、吐水部２０の前方（屈曲部２２上部の前方）は、保持部３４により覆われる。
【００４０】
吐水部２０が収納された状態において、吐水部２０は、保持部３４と前後方向において離間している。吐水部２０は、図４（ａ）及び図５に表したように、ケーシング３０の保持部３４以外の部分からさらに離間していても良い。
【００４１】
保持部３４は、収納された吐水部２０と対向する対向面３４ｓを有する。また、吐水部２０は、保持部３４と対向する対向面２０ｓを有する。対向面２０ｓと３４ｓは、例えば、互いに略平行である。対向面２０ｓ及び３４ｓは、前方且つ下方に向けて傾斜している。
【００４２】
図４（ａ）に表した、吐水部２０と保持部３４との間の間隙Ｇ１は、例えば、保持部３４よりも後方における吐水部２０とケーシング３０との間の上下方向の間隙Ｇ２よりも大きい。また、図５に表した、吐水部２０とケーシング３０との間の上下方向における間隙Ｇ２は、例えば、吐水部２０とケーシング３０との間の左右方向における間隙Ｇ３と同じである。
【００４３】
図６（ａ）及び図６（ｂ）は、実施形態に係る水栓装置を表す断面図である。
図６（ａ）及び図６（ｂ）は、図４（ａ）及び図４（ｂ）と同様に、図３のＡ１−Ａ２線断面を表す。  
【００４４】
図６（ａ）及び図６（ｂ）に表したように、固定部２４は、本体部２４ａと、可動部２４ｂと、を有する。本体部２４ａは、壁面ＷＳ又はケーシング３０に取り付けられる。可動部２４ｂは、吐水部２０を着脱可能に保持するとともに、保持した吐水部２０を収納部３２に収納する収納位置（図４（ａ）に表した位置）と、保持した吐水部２０を収納部３２から突出させる突出位置（図６（ａ）及び図６（ｂ）に表した位置）と、に回動可能に本体部２４ａに軸支されている。
【００４５】
本体部２４ａは、例えば、摩擦力やクリック機構などにより、吐水部２０及び可動部２４ｂを収納位置に保持可能であるとともに、吐水部２０及び可動部２４ｂを突出位置に保持可能である。
【００４６】
実施形態の効果を説明する。
実施形態に係る水栓装置１０では、吐水部２０の少なくとも上部がケーシング３０により覆われるとともに、吐水部２０の前方がケーシング３０の保持部３４により覆われる。このように吐水部２０がケーシング３０により覆われることで、収納部３２に収納された吐水部２０が目立たなくなり、水栓装置１０の美観を向上できる。また、吐水部２０の前方に保持部３４が設けられることで、吐水部２０に向けて差し出された手などを、より早く検知できる。
さらに、水栓装置１０では、吐水部２０が収納された状態において、吐水部２０は、保持部３４と前後方向において離間する。吐水部２０が保持部３４と前後方向に離間することで、使用者が吐水部２０を収納する際に収納部３２付近で吐水部２０を移動させても、吐水部２０が保持部３４と接触し難くなる。
従って、本実施形態に係る水栓装置１０によれば、美観の向上及び検知の敏速化を可能としつつ、吐水部２０と保持部３４との接触によりセンサ６０に不具合が生じることを抑制できる。
【００４７】
より望ましくは、吐水部２０が収納された状態において、吐水部２０は、ケーシング３０の保持部３４以外の部分とさらに離間する。この構成によれば、吐水部２０を収納する際に、吐水部２０と、ケーシング３０の保持部３４以外の部分と、が接触する可能性を低減できる。このため、保持部３４以外の部分からセンサ６０に伝わる衝撃を低減し、衝撃によりセンサ６０に不具合が生じることをさらに抑制できる。
【００４８】
吐水部２０が保持部３４と離間していると、お湯を使用した際などに、水蒸気が吐水部２０と保持部３４との間に入り、対向面２０ｓ及び３４ｓで結露が発生する。結露が発生すると、対向面３４ｓに水滴が貯まっていく。それらの水滴が、保持部３４の傷や隙間等から、保持部３４の内部に浸入すると、センサ６０の不具合の原因となる。
この対策として、実施形態に係る水栓装置１０では、対向面３４ｓが、前方且つ下方に向けて傾斜している。対向面３４ｓがこのように傾斜していることで、対向面３４ｓの水滴が流れ落ちやすくなり、対向面３４ｓで水滴が貯まることを抑制できる。
【００４９】
この点について、以下で、より具体的に説明する。
対向面３４ｓで結露が発生すると、最初に、小さな多数の水滴が対向面３４ｓに付着し、その後、水滴が徐々に大きくなっていく。対向面３４ｓは、水平では無いため、ある程度の大きさになった水滴は、重力によって対向面３４ｓを流れていく。流れた水滴は、保持部３４から滴下するまでの間、その経路上に存在する他の水滴と結合しながら流れていく。このとき、より多くの水滴と結合した方が、対向面３４ｓに残る水滴が少なくなるため、望ましい。
流れた水滴が他の水滴と結合した際、流れていた方向（流動方向）と直交する方向（直交方向）に水滴の位置が変化したり、水滴の形状が変化したりする。水滴が直交方向に移動すると、滴下するまでの水滴の移動距離が長くなるため、水滴が、他の水滴とより結合し易くなる。また、水滴の直交方向における寸法が大きいと、水滴が、他の水滴とより結合し易くなる。
例えば、対向面３４ｓが鉛直方向に平行な場合、水滴には、対向面３４ｓに沿って下方により大きな力が働く。このため、水滴が流れ出すと、他の水滴と結合した際にも、水滴の直交方向における位置があまり変化せず、勢い良く流れていく。また、水滴の直交方向における寸法も短くなる。従って、水滴が、他の水滴とあまり結合せずに流れていく。
これに対して、対向面３４ｓが鉛直方向から傾斜している場合は、水滴に働く力が小さくなる。このため、水滴が流れる速度を遅くできる。水滴が低速で流れることで、他の水滴と結合した際に、直交方向における位置の変化を大きくできる。また、水滴が対向面３４ｓに沿って広がり易くなるため、直交方向における水滴の寸法も長くなる。この結果、水滴が、より多くの他の水滴と結合しながら流れていき、対向面３４ｓに貯まる水滴の量を減らすことができる。この結果、水滴が、保持部３４の内部に浸入する可能性を低減でき、センサ６０に不具合が生じることをさらに抑制できる。
【００５０】
なお、吐水部２０と保持部３４との間の間隙Ｇ１が小さい場合、水滴は、対向面２０ｓと対向面３４ｓの両方に付着しうる。従って、望ましくは、対向面２０ｓも、対向面３４ｓと同様に、前方且つ下方に向けて傾斜する。こうすることで、対向面３４ｓに水滴が付着することをより一層抑制できる。
【００５１】
また、吐水部２０には、ウォーターハンマー等による瞬間的な水圧の上昇が加わる場合がある。吐水部２０が収納された状態でウォーターハンマーが発生すると、吐水部２０が固定された状態であっても、吐水部２０が僅かに移動する。このとき、移動した吐水部２０と保持部３４が接触すると、保持部３４へ衝撃が加わる。特に、吐水部２０と保持部３４が離間している場合、吐水部２０が加速されて保持部３４に衝突するため、保持部３４へ加わる衝撃もより強くなる。ウォーターハンマー等による吐水部２０と保持部３４との接触を回避するためには、吐水部２０とケーシング３０との間の間隙を大きくすることが望ましい。
一方で、吐水部２０とケーシング３０との間の間隙を一様に大きくすると、吐水部２０がケーシング３０から露出し易くなる。あるいは、吐水部２０を覆うために、ケーシング３０を大型化する必要がある。このため、水栓装置１０の美観や使い勝手が低下する。
そこで、実施形態に係る水栓装置１０では、吐水部２０と保持部３４との間の間隙Ｇ１を、吐水部２０の上部とケーシング３０との間の上下方向における間隙Ｇ２よりも大きくしている。吐水部２０は、前方に向けて引き出される構成のため、ウォーターハンマー等が発生した際の移動方向も、前方である。このため、間隙Ｇ１を大きくすることで、ウォーターハンマー等が発生した際に、吐水部２０と保持部３４とが接触する可能性を低減できる。また、当該移動方向に垂直な上下方向における間隙Ｇ２を、間隙Ｇ１よりも小さくすることで、ケーシング３０からの吐水部２０の露出やケーシング３０の大型化を抑制できる。
すなわち、間隙Ｇ１を間隙Ｇ２よりも大きくすることで、水栓装置１０の美観や使い勝手の低下を抑制しつつ、ウォーターハンマー等が発生した際に、吐水部２０と保持部３４とが接触する可能性を低減できる。
【００５２】
ウォーターハンマーによる吐水部２０と保持部３４との接触を抑制するためには、間隙Ｇ１は、１ｍｍより大きく、３ｍｍ以下であることが望ましい。また、水栓装置１０の美観や使い勝手の向上のためには、間隙Ｇ２は、間隙Ｇ１より小さく、１ｍｍ以上、２ｍｍ以下であることが望ましい。
【００５３】
また、実施形態に係る水栓装置１０では、図６（ａ）及び図６（ｂ）に表したように、固定部２４の収納位置と突出位置とを切り替えることができる。そして、吐水部２０を引き出す際には、固定部２４が突出位置に切り替えられる。
例えば、収納位置にある固定部２４に対して、引き出された吐水部２０を固定する場合、保持部３４の裏側で吐水部２０を移動させて固定部２４に固定しなければならない。このため、吐水部２０が保持部３４と接触する可能性が高くなる。
これに対して、固定部２４が突出位置にあると、図６（ｂ）に表したように、吐水部２０を、保持部３４の下方から、後方且つ上方に向けて移動させることで、固定部２４に固定できる。このため、吐水部２０を収納する際に、吐水部２０と保持部３４が接触する可能性をより低減し、センサ６０に不具合が生じることをさらに抑制できる。
【００５４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水栓装置が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５５】
１０ 水栓装置、  ２０ 吐水部、  ２０ａ 吐水口、  ２１ 基部、  ２２ 屈曲部、  ２４ 固定部、  ２４ａ 本体部、  ２４ｂ 可動部、  ３０ ケーシング、  ３２ 収納部、  ３４ 保持部、  ３４ｓ 対向面、  ３６ スイッチ、  ４０ ホース、  ５０ 操作部、  ５０ａ 操作レバー、  ６０ センサ、  １００ 洗面化粧台、  １０２ 洗面器、  １０４ 支持台、  １０６ キャビネット、  １２２ ボウル部、  １２４ バックガード部、  Ｇ１〜Ｇ３ 間隙、  ＷＳ 壁面
【図１】
2019148090.tif 000003
【図２】
2019148090.tif 000004
【図３】
2019148090.tif 000005
【図４】
2019148090.tif 000006
【図５】
2019148090.tif 000007
【図６】
2019148090.tif 000008